(57)【要約】      （修正有）【課題】  顧客、ペット販売業者、ブリーダーがそれぞれの立場で所有するペットの情報を公開し、安定かつ効率的なペットの流通システムを提供する。【解決手段】  サーバーが、ブリーダー端末装置からブリーダーが所有するペットの生体情報をサーバー内の生体情報データーベースに入力する入力手段と、ペット販売業者端末装置からペット販売業者がサーバー内の生体情報データーベースから生体情報を検索、閲覧する検索、閲覧手段と、ペット販売業者端末装置からペット販売業者が所有するペットの生体情報をサーバー内の生体情報データーベースに入力する入力手段と、顧客端末装置からインターネット回線網を介してサーバーに接続した顧客がサーバー内の生体情報データーベースから、生体情報を検索、閲覧する検索、閲覧手段とを備える。【選択図】      図１
2005322186.tif 000002
【特許請求の範囲】
【請求項１】
インターネット回線網を介してブリーダー、ペット販売業者又は顧客がサーバーにアクセスし、該サーバー内に逐次的に更新可能な情報を蓄積させたデーターベースを利用してペットの流通を行うシステムであって、
少なくとも該サーバーが、
ブリーダー端末装置からインターネット回線網を介してサーバーに接続したブリーダーが、該ブリーダーが所有するペットの生体情報をサーバー内の生体情報データーベースに入力する入力手段と、
ペット販売業者端末装置からインターネット回線網を介してサーバーに接続したペット販売業者が、サーバー内の生体情報データーベースから、生体情報を検索、閲覧する検索、閲覧手段と、
ペット販売業者端末装置からインターネット回線網を介してサーバーに接続したペット販売業者が、該ペット販売業者が所有するペットの生体情報をサーバー内の生体情報データーベースに入力する入力手段と、
顧客端末装置からインターネット回線網を介してサーバーに接続した顧客が、サーバー内の生体情報データーベースから、生体情報を検索、閲覧する検索、閲覧手段とを備えることを特徴とするペットの流通システム。
【請求項２】
前記サーバーにおいて、ブリーダーが入力した個別の情報に基づいてサーバーへのアクセス可否を確認する認証手段を備えたことを特徴とする請求項１に記載のペット流通システム。
【請求項３】
前記サーバーにおいて、ペット販売業者が入力した個別の情報に基づいてサーバーへのアクセス可否を確認する認証手段を備えたことを特徴とする請求項１又は２に記載のペット流通システム。
【請求項４】
ブリーダーが入力する生体情報には、未出生の生体の出生予定情報が含まれることを特徴とする請求項１〜３のいずれかに記載のペット流通システム。
【請求項５】
サーバー管理者により、ブリーダー、ペット販売業者又は顧客が入力したサーバー内のデーターベースの情報の追加、修正が可能であることを特徴とする請求項１〜４のいずれかに記載のペット流通システム。
【請求項６】
ペット販売業者の実行した検索、閲覧による結果に基づいて特定の生体をブリーダーから仕入れるために仕入れ希望情報を入力、送信する仕入れ発注手段を備えたことを特徴とする請求項１〜５のいずれかに記載のペット流通システム。
【請求項７】
顧客の実行した検索、閲覧による結果に基づいて特定のペットを、ブリーダー又はペット販売業者から購入するために、購入希望情報を入力、送信する購入発注手段を備えたことを特徴とする請求項１〜６のいずれかに記載のペット流通システム。
【請求項８】
前記サーバーにおいて、ブリーダーが入力する情報をペット販売業者だけが検索、閲覧可能な情報とするか、ペット販売業者及び顧客が検索、閲覧可能な情報とするかをブリーダーが決定するための振り分け手段を備えたことを特徴とする請求項１〜７のいずれかに記載のペット流通システム。
【請求項９】
ブリーダーが入力する情報において、ペット販売業者が閲覧可能な価格情報と、顧客が閲覧可能な価格情報を、それぞれ別に設定可能であることを特徴とする請求項８に記載のペット流通システム。
【請求項１０】
前記サーバーにおいて、ペット販売業者が入力する情報には、ブリーダーが入力した生体の情報を、前記ペット販売業者の商品情報として顧客に公開する手段を備えたことを特徴とする請求項１〜９のいずれかに記載のペット流通システム。
【請求項１１】
ブリーダーが入力した、顧客には公開しない情報について、ペット販売業者が、生体の情報をペット販売業者の商品情報として顧客に公開する場合、ブリーダーが入力した生体の価格情報を公開せず、ペット販売業者の設定した価格情報を顧客に公開する手段を備えたことを特徴とする請求項１０に記載のペット流通システム。
【請求項１２】
サーバー管理者がサーバー内の全ての蓄積データに対して、加筆修正、削除処理が可能であることを特徴とする請求項１〜１１のいずれかに記載のペット流通システム。
【発明の詳細な説明】
【技術分野】
【０００１】  本発明は、インターネット回線網を利用したペットの販売システムに関し、より詳しくはブリーダー、ペット販売業者、顧客のそれぞれが入力した情報を整理、管理したデータを各ユーザー端末装置で参照可能とすることにより、ペットの売買を円滑に行うことができるペットの流通システムに関するものである。
【背景技術】
【０００２】  従来、ペットの販売方法としては、先ず、ブリーダーが保有するペットの生体情報を、該ブリーダーと契約した特定のペット販売業者に提供し、ペット販売業者は、ブリーダーから提供された情報に基づいてペットの生体を仕入れて、これを店頭に陳列等する。来店した顧客はそれらの中から気に入った生体を購入するという方法が一般的であった。
ところで、一般にペット（特に犬や猫）は、生まれてから日が経つにつれてその商品価値は低下し、販売価格が下がっていく傾向にある。そのため、ブリーダー、販売業者にとっては、できるだけ出生から日の浅いうちに生体を販売することが理想的である。しかしながら、従来の販売方法では、ブリーダーにとってはペットの流行が掴みづらく、販売チャネルが限られる等の問題があり、またペット販売業者にとっては、販売店舗の条件や、ペットの流行に対応しづらい等の理由で折角仕入れた生体が売れ残ってしまう等の問題があった。また、顧客にとっては好みのペットを見つけづらい等の問題があった。【０００３】  これら前記問題を解決すべく、これまでに種々のペットの販売方法が提案されている。例えば、ペット販売業者が提供するホームページにペット情報データーベースを保持し、顧客がこのページにアクセスすることにより情報を得ることを可能とするシステムが提案されている（特許文献１）。当該提案によれば、インターネット回線網を介してペット情報が一般に公開されることで、顧客はそのペット販売業者の在庫情報、商品情報を得ることが可能になる。しかしながら、当該システムは、ペット販売業者が中心のシステムであり、顧客はこの情報を得るに止まっていた。また、ブリーダーは単に顧客の希望ペット情報を得て、ペット販売業者に卸すに止まっていた。即ち、各ペット情報はペット販売業者が管理し、ペットの仕入れはペット販売業者とブリーダー間のみで、また、ペットの売買は顧客とペット販売業者間のみで行われるものであった。【０００４】
【特許文献１】特開２００１−２９７２０７
【発明の開示】
【発明が解決しようとする課題】
【０００５】  本発明は、かかる従来の実情に鑑みてなされたものであり、顧客、ペット販売業者、ブリーダーがそれぞれの立場で所有するペットの情報を公開し、安定かつ効率的なペットの流通システムを提供することをその課題とする。
【課題を解決するための手段】
【０００６】  本発明によれば、上記課題は下記の技術的手段により解決される。
（１）インターネット回線網を介してブリーダー、ペット販売業者又は顧客がサーバーにアクセスし、該サーバー内に逐次的に更新可能な情報を蓄積させたデーターベースを利用してペットの流通を行うシステムであって、少なくとも該サーバーが、ブリーダー端末装置からインターネット回線網を介してサーバーに接続したブリーダーが、該ブリーダーが所有するペットの生体情報をサーバー内の生体情報データーベースに入力する入力手段と、ペット販売業者端末装置からインターネット回線網を介してサーバーに接続したペット販売業者が、サーバー内の生体情報データーベースから、生体情報を検索、閲覧する検索、閲覧手段と、ペット販売業者端末装置からインターネット回線網を介してサーバーに接続したペット販売業者が、該ペット販売業者が所有するペットの生体情報をサーバー内の生体情報データーベースに入力する入力手段と、顧客端末装置からインターネット回線網を介してサーバーに接続した顧客が、サーバー内の生体情報データーベースから、生体情報を検索、閲覧する検索、閲覧手段とを備えることを特徴とするペットの流通システム。
（２）前記サーバーにおいて、ブリーダーが入力した個別の情報に基づいてサーバーへのアクセス可否を確認する認証手段を備えたことを特徴とする前記（１）に記載のペット流通システム。
（３）前記サーバーにおいて、ペット販売業者が入力した個別の情報に基づいてサーバーへのアクセス可否を確認する認証手段を備えたことを特徴とする前記（１）又は（２）に記載のペット流通システム。
（４）ブリーダーが入力する生体情報には、未出生の生体の出生予定情報が含まれることを特徴とする前記（１）〜（３）のいずれかに記載のペット流通システム。
（５）サーバー管理者により、ブリーダー、ペット販売業者又は顧客が入力したサーバー内のデーターベースの情報の追加、修正が可能であることを特徴とする前記（１）〜（４）のいずれかに記載のペット流通システム。【０００７】（６）ペット販売業者の実行した検索、閲覧による結果に基づいて特定の生体をブリーダーから仕入れるために仕入れ希望情報を入力、送信する仕入れ発注手段を備えたことを特徴とする前記（１）〜（５）のいずれかに記載のペット流通システム。
（７）顧客の実行した検索、閲覧による結果に基づいて特定のペットを、ブリーダー又はペット販売業者から購入するために、購入希望情報を入力、送信する購入発注手段を備えたことを特徴とする前記（１）〜（６）のいずれかに記載のペット流通システム。
（８）前記サーバーにおいて、ブリーダーが入力する情報をペット販売業者だけが検索、閲覧可能な情報とするか、ペット販売業者及び顧客が検索、閲覧可能な情報とするかをブリーダーが決定するための振り分け手段を備えたことを特徴とする前記（１）〜（７）のいずれかに記載のペット流通システム。
（９）ブリーダーが入力する情報において、ペット販売業者が閲覧可能な価格情報と、顧客が閲覧可能な価格情報を、それぞれ別に設定可能であることを特徴とする前記（８）に記載のペット流通システム。
（１０）前記サーバーにおいて、ペット販売業者が入力する情報には、ブリーダーが入力した生体の情報を、前記ペット販売業者の商品情報として顧客に公開する手段を備えたことを特徴とする前記（１）〜（９）のいずれかに記載のペット流通システム。
（１１）ブリーダーが入力したペット情報について、ペット販売業者が、生体の情報をペット販売業者の商品情報として顧客に公開する場合、ブリーダーが入力した生体の価格情報を公開せず、ペット販売業者の設定した価格情報を顧客に公開する手段を備えたことを特徴とする前記（１０）に記載のペット流通システム。
（１２）サーバー管理者がサーバー内の全ての蓄積データに対して、加筆修正、削除処理が可能であることを特徴とする前記（１）〜（１１）のいずれかに記載のペット流通システム。
【発明の効果】
【０００８】  本発明によれば、前記構成を採用したので、ブリーダー、ペット販売業者、顧客がそれぞれ所有する情報をデーターベースに入力、公開することにより、それぞれの立場で有用なペット情報を相互に得ることが可能となり、スムーズなペットの流通システムを構築することができる。尚、本発明のブリーダーとは、生体を生産する者に止まらず、卸売りする立場の者、例えば問屋等も含まれる。また、本発明におけるペットとは、一般に家庭で愛玩動物として飼われる各種動物、例えば、犬、猫等の哺乳類、魚、鳥、昆虫、両生類、爬虫類等を意味する。
【発明を実施するための最良の形態】
【０００９】  以下本発明の実施の形態について詳細に説明する。
先ず、本発明のインターネット回線網を利用した、新規なペットの流通システムの構成について説明する。【００１０】  図１は、本発明のペット流通システムの概念図である。
図１において、サーバー２はインターネット回線網１を介して、ブリーダー端末装置３、ペット販売業者端末装置４、顧客端末装置５から接続可能に構成されている。
前記サーバー２は演算装置、記憶装置、通信装置等から構成され、インターネット回線網１に接続されて、該インターネット回線網１を介して情報の送受信が可能なものである。サーバー２には、各種データを入力、管理、出力するためのソフトウエアが内包されている。【００１１】  また、ブリーダー端末装置３、ペット販売業者端末装置４、顧客端末装置５は、一般に用いられるパーソナルコンピューターを用いることができる。該パーソナルコンピューターは表示装置、情報入力装置、演算装置、記憶装置、通信装置等から構成され、インターネット回線網１に接続されて、該インターネット回線網１を介して情報の入力、情報の送受信を可能にするものである。尚、本発明においては、端末装置として、前記パーソナルコンピューターの他、携帯電話、ＰＤＡ等のインターネット回線網１に接続可能な各種機器を用いることが可能である。【００１２】  次に、本発明に用いられるサーバー２について詳細に説明する。
図２に本発明のサーバー２の構成概念図を示す。
本発明のサーバー２は、大別して、店舗データーベース２０２及びペット情報データーベース２０３により構成されている。インターネット回線網１を介して入力された各種情報はその情報の種類により前記各データーベースにそれぞれ保存、蓄積される。
店舗データーベース２０２には、図３に示す画面から入力された、ブリーダー情報、ペット販売業者情報、それぞれに付与されたＩＤ、パスワード等がそれぞれ格納される。
ペット情報データーベース２０３には、図４に示す画面から入力された、ペットの生体情報が蓄積される。該ペット情報データーベース２０３は前記店舗データーベース２０２とデータ上で連結されており、各ペットの生体情報中の該データを入力したブリーダー、又は、ペット販売業者は店舗データーベース２０２の店舗データを参照する構成となっている。
顧客は、インターネット回線網１を介して、サーバー２にアクセスして、ペット情報データーベース２０３中の公開蓄積データを参照する。【００１３】  本発明のシステムでは、前記サーバー２を管理するための、サーバー管理者２０１が設けられている。当該サーバー管理者２０１は、インターネット回線網１を介してサーバー２にアクセスし、サーバー管理者用ページからサーバー２内の全ての蓄積データーに対して加筆修正、削除処理を行う権限を有する。サーバー管理者２０１がサーバー管理者用ページを開くためには、管理者以外のものがページを開くことを防止する目的で、サーバー管理者毎に与えられたＩＤ及びパスワード等の認証手続きが必要である。【００１４】  次に、本発明のシステムの動作についての一実施例について説明図を用いて詳細に説明する。尚、本一実施例の説明図は、本発明のペットのうち犬を例としたものである。【００１５】  本システムにおいて、先ずブリーダーはブリーダー端末装置３からインターネット回線網１を介してサーバー２にアクセスする。この際、サーバー２にアクセスするためのホームページ上に設けられた、図３に示すユーザー登録画面から、ブリーダーの個別情報を入力する。この手続きにより、登録されたブリーダー毎に付与されるＩＤ等の識別情報を、ホームページ上のＩＤ等の入力画面から入力することにより、アクセス可否を確認する認証手段を経てアクセスする。
アクセスを許可されたブリーダーは、図４に示すホームページ上の各種情報の入力画面より、生体情報データーベースにブリーダーの所有する情報を入力し登録する。
当該入力画面からは、生体の各種情報、例えば生体の種別、性別、色、生年月日、写真又は動画、生体の価格等を適宜入力することができる。尚、当該情報には、出生予定の生体情報、例えば出生予定日等を入力することができる。【００１６】  また、この入力画面には、入力した情報をペット販売業者にだけ公開するか、顧客に公開するかの選択入力項目が設けられている。即ち、ブリーダーは生体をペット販売業者に卸すか、一般の顧客対象に販売するかを選択することが可能となる。尚、前記ブリーダーが選択した販売対象ごとに、価格を設定することができる。ペット販売業者が閲覧可能な価格情報と、顧客が閲覧可能な価格情報をそれぞれ別に設定することが可能である。
また、前記入力画面から一度入力して登録した情報は、ブリーダー自身が逐次修正をすることが可能である。【００１７】  次にペット販売業者はペット販売業者端末装置４からインターネット回線網１を介してサーバー２に接続する。この際、サーバー２にアクセスするためのホームページ上に設けられた、図３に示すユーザー登録画面から、ペット販売業者の個別情報を入力する。この手続きにより、登録されたペット販売業者毎に付与されるＩＤ等の識別情報を、ホームページ上のＩＤ等の入力画面から入力することにより、アクセス可否を確認する認証手段を経てアクセスする。【００１８】  ペット販売業者は、前記検索で得られたブリーダー情報から、ブリーダーに電話、ファクシミリ等の方法により連絡をとり、仕入れ発注を行う。
尚、本発明では、ペット販売業者は、前記の検索、閲覧結果から仕入れ希望のペットを画面上で選択し、インターネット回線網１を介して仕入れ希望情報をブリーダーの電子メールアドレス宛に送信することにより、又は、仕入れ希望情報をインターネット回線網１を介してサーバー２に入力し、サーバー２が入力された仕入れ希望情報を、生体を保有するブリーダーに送信し、仕入れ発注を完了させることもできる。【００１９】  アクセスを許可されたペット販売業者は、該ペット販売業者の所有するペット情報を、インターネット回線網を介して、図４に示すホームページ上の入力画面からサーバー内の生体情報データーベースに入力、登録する。これらペットの生体情報は入力したペット販売業者自身が修正、削除をすることが可能である。【００２０】  また、ペット販売業者は、図５に示すホームページ上の各種検索条件の入力画面より、検索条件を適宜入力し検索を実行することにより、ブリーダーの入力したしたペットの生体情報を後、検索を実行し、生体情報データーベースから図６に示すブリーダー情報、ペットの生体情報等を得ることができる。
各ペットの生体情報をクリックすることにより、図７に示すようなペットの詳細情報を得ることができる。【００２１】  また、本発明においては、ペット販売業者が、ブリーダーが入力した生体の情報を、ペット販売業者の商品情報として顧客に公開することができる。当該システムを利用することにより、ペット販売業者は実際にペットの生体を仕入れることをせず、情報のみの公開により、ペットを販売することが可能となる。
前記のシステム、即ち、ブリーダーが入力したペット情報について、ペット販売業者が生体の情報をペット販売業者の商品情報として顧客に公開するシステムを利用する場合、ブリーダーが入力した、ペットの生体情報のうち、生体の価格情報を公開せず、ペット販売業者が設定した価格情報を顧客に公開することができる。この機能により、ブリーダーからの仕入れ金額と、顧客への販売金額の差額を利益とすることができる。【００２２】  顧客は、顧客端末装置から、インターネット回線網１を介してサーバー内の生体情報データーベースにアクセスし、図５に示すホームページ上の検索画面から、希望のペット情報入力し、図６に示す検索結果を得ることができる。
前記検索結果の各ペットの生体情報をクリックすることにより、図７に示すようなペットの詳細情報等を得ることができる。
顧客は、前記検索で得られたペット販売業者情報から、ペット販売業者に電話、ファクシミリ等の方法により連絡をとり購入発注を行う。
尚、本発明では、顧客は前記の検索、閲覧結果から購入希望のペットを画面上で選択し、インターネット回線網１を介して購入希望情報をペット販売業者の電子メールアドレス宛に送信することにより、又は、購入希望情報をインターネット回線網１を介してサーバー２に入力し、サーバー２が入力された購入希望情報を、ペットを保有するペット販売業者に送信し、購入発注を完了させることもできる。【００２３】  本発明のペットの流通システムは、上記の構成及び一連の操作により本発明の目的が達成される。尚、前記実施例は本発明の一形態であり、これに限定されるものではない。前記実施例においては、ブリーダーの登録ページとペット販売業者の登録ページ（図３）を共通のページとしたが、これをそれぞれ異なった項目を有する別の登録ページとすることもできる。また、サーバー２内のデータベースの構成を店舗データーベース２０２とペット情報データーベース２０３としたが、本発明の目的を達成することができる範囲で変更可能である。
【図面の簡単な説明】
【００２４】
【図１】本発明のペット流通システムの概念図である。
【図２】本発明のサーバーの構成概念図を示す図である。
【図３】本発明のユーザー登録画面の一実施例を示す図である。
【図４】本発明のペットの生体情報の入力画面の一実施例を示す図である。
【図５】本発明の検索（入力もしくは登録）画面の一実施例を示す図である。
【図６】本発明の検索結果表示画面の一実施例を示す図である。
【図７】本発明のペットの詳細情報の表示画面の一実施例を示す図である。
【符号の説明】
【００２５】    １      インターネット回線網
２      サーバ
２０１  サーバー管理者
２０２  店舗データーベース
２０３  ペット情報データーベース
３      ブリーダー端末
４      ペット販売業者端末
５      顧客端末
【図１】
2005322186.tif 000003
【図２】
2005322186.tif 000004
【図３】
2005322186.tif 000005
【図４】
2005322186.tif 000006
【図５】
2005322186.tif 000007
【図６】
2005322186.tif 000008
【図７】
2005322186.tif 000009